(57)【要約】【課題】補修液を容器内に残存させることなく、補修液の逆流を防止したパンク補修液収容容器を提供する。【解決手段】パンク補修液７を収容すると共にコンプレッサーＣから圧縮空気を導くエアー注入部３と前記パンク補修液７をタイヤへ導く補修液吐出部４とを具えたパンク補修液収容容器１において、エアー注入部３をパンク補修液の液面７ａより上部側に形成すると共に、補修液吐出部４をエアー注入部３よりも下部側に形成した。【選択図】図２
2010069847.tif 000002
【特許請求の範囲】
【請求項１】
容器本体の一方の端部にパンク補修液充填用の開口部を設けると共に、コンプレッサーから圧縮空気を導くエアー供給ホースを接続するエアー注入部と前記パンク補修液をタイヤへ導くパンク補修液注入ホースを接続するパンク補修液吐出部とを具えたパンク補修液収容容器において、
パンク補修作業時に直立姿勢にした前記容器本体のパンク補修液の液面より上部側に前記エアー注入部を設けると共に、これと反対の下部側に前記パンク補修液吐出部を設けたパンク補修液収容容器。
【請求項２】
前記開口部を直立姿勢の容器本体の下部側に配置し、該開口部又はこれに嵌合するキャップに前記パンク補修液吐出部を連結した請求項１に記載のパンク補修液収容容器。
【請求項３】
前記開口部にシール膜を取り付けると共に、前記キャップ内側の偏心した箇所に前記シール膜を突き破る突起を設けた請求項１又は２に記載のパンク補修液収容容器。
【請求項４】
前記キャップの外側にスタンドを設けた請求項２又は３に記載のパンク補修液収容容器。
【請求項５】
開口部を直立姿勢の容器本体の上部側に配置し、該開口部又は該開口部に嵌合するキャップに前記エアー注入部を設けると共に、前記容器本体の底面に前記パンク補修液吐出部を設けた請求項１に記載のパンク補修液収容容器。
【請求項６】
前記容器本体の底部にスタンドを設けた請求項１又は５に記載のパンク補修液収容容器。
【発明の詳細な説明】
【技術分野】
【０００１】
本発明は、パンク補修液収容容器に関し、更に詳しくは、簡単な構成でパンク補修液を容器本体の内部に残存させず、かつ、パンク補修液の逆流を防止するようにしたパンク補修液収容容器に関する。
【背景技術】
【０００２】
近年、空気入りタイヤ（以下、単に「タイヤ」という。）がパンクした際に、パンク補修液をパンクしたタイヤ内に注入することによってパンク孔に流し込み、所定の規定圧まで内圧を充填するようにした装置がパンク修理キットとして普及している。このようなパンク修理キットを用いることで、車両にスペアタイヤを搭載する必要がなくなるため、省資源化や車両の軽量化を図ることができ、また、スペアタイヤを搭載するために設けられていたスペースを他の目的のために有効利用することができるという利点がある。
【０００３】
従来のパンク修理キットを図７、８に示す。図７、８のように、パンク修理キットは、パンク補修液７を収容した耐圧容器（容器本体２）とエアー注入部３とパンク補修液吐出部４とを具え、エアー注入部３にエアー供給ホース５が、パンク補修液吐出部４にパンク補修液注入ホース６が、それぞれ接続される。コンプレッサーＣから送り出された圧縮空気は、エアー供給ホース５を通りエアー注入部３から容器本体２に入り、収容されているパンク補修液７をパンク補修液吐出部４から送り出す。そして、パンク補修液７はパンク補修液注入ホース６を通過してタイヤＴの内部へ導入される。
【０００４】
このようなパンク修理キットは使用時の形状によって分類される２種類のタイプが一般的で、エアー注入部３とパンク補修液吐出部４とが容器本体２の上部に形成される正立タイプ（図７）が例えば特許文献１等に記載され、エアー注入部３とパンク補修液吐出部４とが容器本体２の下部に形成される倒立タイプ（図８）が例えば特許文献２等に記載されている。
【０００５】
しかしながら、倒立タイプは、容器本体の下部にホースが接続されているため、コンプレッサーの停止時において、パンク補修液がホース内を逆流し、その逆流したパンク補修液がコンプレッサー内に流れ込むことによって運転不能の故障の原因になるという問題があった。
【０００６】
正立タイプは、容器中のパンク補修液を全て送り込むことができず容器本体の底部にパンク補修液を残存させてしまう。特に、使用時に容器本体が傾いている場合には必要量のパンク補修液を送り込むことができなくなり、補修が充分に行えないという問題があった。
【特許文献１】特開平９−１１８７７９号公報
【特許文献２】特開２０００−１０８２１５号公報
【発明の開示】
【発明が解決しようとする課題】
【０００７】
本発明の目的は、上述する問題点を解決するもので、簡単な構成でパンク補修液を容器本体の内部に残存させることなく、パンク補修液の逆流を防止したパンク補修液収容容器を提供することにある。
【課題を解決するための手段】
【０００８】
上記目的を達成するための本発明のパンク補修液収容容器は、容器本体の一方の端部にパンク補修液充填用の開口部を設けると共に、コンプレッサーから圧縮空気を導くエアー供給ホースを接続するエアー注入部と前記パンク補修液をタイヤへ導くパンク補修液注入ホースを接続するパンク補修液吐出部とを具えたパンク補修液収容容器において、パンク補修作業時に直立姿勢にした前記容器本体のパンク補修液の液面より上部側に前記エアー注入部を設けると共に、これと反対の下部側に前記パンク補修液吐出部を設けたことを特徴とする。
【０００９】
また、上述する構成において、以下（１）〜（５）に記載するように構成することが好ましい。
【００１０】
（１）前記開口部を直立姿勢の容器本体の下部側に配置し、該開口部又はこれに嵌合するキャップに前記パンク補修液吐出部を連結する。
（２）前記開口部にシール膜を取り付けると共に、前記キャップ内側の変身した箇所に前記シール膜を突き破る突起を設ける。
（３）前記キャップの外側にスタンドを設ける。
（４）開口部を直立姿勢の容器本体の上部側に配置し、該開口部又は該開口部に嵌合するキャップに前記エアー注入部を設けると共に、前記容器本体の底面に前記パンク補修液吐出部を設ける。
（５）前記容器本体の底部にスタンドを設ける。
【発明の効果】
【００１１】
本発明によれば、容器本体の一方の端部にパンク補修液充填用の開口部を設けると共に、コンプレッサーから圧縮空気を導くエアー供給ホースを接続するエアー注入部と前記パンク補修液をタイヤへ導くパンク補修液注入ホースを接続するパンク補修液吐出部とを具えたパンク補修液収容容器において、パンク補修作業時に直立姿勢にした前記容器本体のパンク補修液の液面より上部側に前記エアー注入部を設けると共に、これと反対の下部側に前記パンク補修液吐出部を設けるという簡単な構成で、パンク補修液を容器本体の内部に残存させることなく、パンク補修液のコンプレッサー方向への逆流を防止できる。
【発明を実施するための最良の形態】
【００１２】
図１は、本発明のパンク補修液収容容器１の使用状態を示す概略図である。パンク補修液収容容器１は、容器本体２の内部にパンク補修液７を収容している。容器本体２の上部にはエアー注入部３が設けられ、下部にはパンク補修液吐出部４が設けられている。エアー注入部３に、エアー供給ホース５が接続され、パンク補修液吐出部４にパンク補修液注入ホース６が接続される。コンプレッサーＣから送り出された圧縮空気は、エアー供給ホース５を通りエアー注入部３から容器本体２に入り、収容されているパンク補修液７をパンク補修液吐出部４から送り出す。そして、パンク補修液７はパンク補修液注入ホース６を通過してタイヤＴの内部へ導入される。
【００１３】
図２は、本発明の実施形態からなるパンク補修液収容容器１の断面図である。図２において、容器本体２の内部にはパンク補修液７が収容されている。エアー注入部３は、パンク補修作業時に直立姿勢にした容器本体２のパンク補修液７の液面７ａよりも上部側に設ける。パンク補修液吐出部４は、エアー注入部３の反対側の下部側に設ける。こうすることで、簡単な構成でパンク補修液７が自重によって逆流することが防止でき、かつ、使用後にパンク補修液７が残留することを防止できる。
【００１４】
このとき、開口部２ａを直立姿勢の容器本体２の下部側に配置し、図２のように開口部２ａにパンク補修液吐出部４を設けたり、図３のように開口部２ａに嵌合するキャップ９にパンク補修液吐出部４を設けるとよい。特に、図２、３のように容器本体２の底面に設けるとよい。こうすることで、パンク補修液７を効率よく送り出すことができ、容器本体２の内部にパンク補修液７が残存することを防止できる。
【００１５】
底面にパンク補修液吐出部４が形成されるので、使用時に安定して設置できるようにスタンド８を設けてもよい。スタンド８は、例えば、図６に示すように数本の足を形成してもよいが、どのような形状であってもよい。
【００１６】
また、エアー注入部３を直立姿勢の容器本体２の上部側、特に最上面に形成するとよい。使用前に容器本体２の上面までパンク補修液７が充填されている場合、エアー注入部３を側面等に設けると液漏れを引き起こす可能性があるので、好ましくは、エアー注入部３を容器本体２の上面に形成するとよい。
【００１７】
エアー注入部３及びパンク補修液吐出部４の孔は、太さや差し込み形状等を互いに異ならせてもよい。孔の形状を異ならせることで、使用時の接続間違いを防止することができる。例えば、エアー注入部３には使用前はキャップ等の栓をして使用時に開栓しホースを接続するようにし、補修液吐出部４はホースを接続することで流路が連通するＴ／Ｌバルブ等を用いるとよい。
【００１８】
尚、容器本体２は、コンプレッサーＣから導入される圧縮空気の圧力に耐え得る耐圧容器であれば、図２のような縦長形状に限らず横長でもどのような形状であっても構わない。
【００１９】
図３、４のように容器本体２とキャップ９とを使用時に組み立てて用いるようにすることもできる。容器本体２とキャップ９とを別個の部材とすることで、使用しないときには別々に車両に搭載することができるので、省スペース化が図れる。また、使用後には、容器本体２を交換すればよく、キャップ９は再利用できるので、省資源化が図れる。
【００２０】
このとき、図４に示すように容器本体２のエアー注入部３と開口部２ａには栓をして、液漏れやパンク補修液７の劣化を防止する。特に、開口部２ａをアルミや樹脂性のシール膜で密封しシール性を高めるとよい。
【００２１】
シール膜を設ける場合、図５に示すように、キャップ９の内側の偏心した箇所にシール膜を突き破る突起１０を設けるとよい。特に、容器本体２とキャップ９との組み立て方法としてねじ込み式を採用した場合、偏心した箇所に設けることによって、突起１０がシール膜を破る長さが増加するので確実にパンク補修液を流すことができる。突起１０を中心に設置した場合、孔を開けることはできても、ねじ込み回転することによってシール膜を広範にわたって破くことができない。また、突起１０の長さは、シール膜を開口部２ａの１／４周程度破れるような長さにするのが好ましい。大きく破り過ぎると、破れたシール膜の破材がホース内に詰まる虞がある。尚、キャップ９には、使用時に安定して設置できるように外部にスタンド８を設けるとよい。
【００２２】
図６は、本発明の他の実施形態からなるパンク補修液収容容器１の断面図である。この実施形態では、開口部２ａを直立姿勢の容器本体２の上部側に配置し、開口部２ａにエアー注入部３を設けている。また、先述した実施形態のように、開口部２ａに嵌合するキャップ９にパンク補修液吐出部４を設けてもよい。このとき、パンク補修液吐出部４は、容器本体２の底面に設けるとよい。
【００２３】
底面にパンク補修液吐出部４が形成されるので、使用時に安定して設置できるようにスタンド８を設けてもよい。スタンド８は、例えば、図６に示すように数本の足を形成してもよいが、どのような形状であってもよい。
【図面の簡単な説明】
【００２４】
【図１】本発明の実施形態からなるパンク補修液収容容器の使用状態を示す概略図である。
【図２】本発明の実施形態からなるパンク補修液収容容器の断面図である。
【図３】本発明の他の実施形態からなるパンク補修液収容容器の断面図である。
【図４】図３の実施形態を構成する容器本体とスタンドとのそれぞれの断面図である。
【図５】本発明の他の実施形態を示すキャップ部の断面図である。
【図６】本発明の更に他の実施例を示すパンク補修液収容容器の断面図である。
【図７】従来のパンク補修液収容容器の使用状態を示す概略図である。
【図８】従来の他のパンク補修液収容容器の使用状態を示す概略図である。
【符号の説明】
【００２５】
１  パンク補修液収容容器
２  容器本体
２ａ  開口部
３  エアー注入部
４  パンク補修液吐出部
５  エアー供給ホース
６  パンク補修液注入ホース
７  パンク補修液
７ａ  液面
８  スタンド
９  キャップ
１０  突起
【図１】
2010069847.tif 000003
【図２】
2010069847.tif 000004
【図３】
2010069847.tif 000005
【図４】
2010069847.tif 000006
【図５】
2010069847.tif 000007
【図６】
2010069847.tif 000008
【図７】
2010069847.tif 000009
【図８】
2010069847.tif 000010